(57)【要約】【課題】本発明の解決しようとする課題は、仕切部材の装着が簡単でありながら、箱本体から脱落し難く、しかも箱本体の構造によっては、外から見える面が紙の表面側のみとすることもできるため、外観上も優れた仕切部材付き紙箱を提案するものである。【解決手段】紙箱本体と、仕切部材とを有する仕切部材付き紙箱であって、該仕切部材は、２枚以上の底板と、底板と底板の間に谷折罫線を介して連設された仕切板と、両端部の底板から罫線を介して互い違いに連設され、直角に立ち上がる２枚の側板とを有し、前記底板と仕切板とは谷折罫線を介して交互に連設されており、それぞれの仕切板は、山折罫線によって接続された２枚の板からなり、前記仕切部材は、底板と仕切板とが蛇腹状に連設されて、弾力性を保った状態で紙箱本体内に装着されていることを特徴とする仕切部材付き紙箱である。【選択図】図１
2014094772.tif 000002
【特許請求の範囲】
【請求項１】
紙箱本体と、仕切部材とを有する仕切部材付き紙箱であって、
該仕切部材は、２枚以上の底板と、底板と底板の間に谷折罫線を介して連設された仕切板と、両端部の底板から罫線を介して互い違いに連設され、直角に立ち上がる２枚の側板とを有し、
前記底板と仕切板とは谷折罫線を介して交互に連設されており、それぞれの仕切板は、山折罫線によって接続された２枚の板からなり、
前記仕切部材は、底板と仕切板とが蛇腹状に連設されて、弾力性を保った状態で紙箱本体内に装着されていることを特徴とする仕切部材付き紙箱。
【請求項２】
前記２枚の側板は、それぞれ山折罫線を介して連設された２枚の板からなることを特徴とする請求項１に記載の仕切部材付き紙箱。
【請求項３】
前記底板のうち、少なくとも両端部の底板には、立ち上がった前記側板の下辺に係止して、底板の浮上りを防止する浮上り防止突起が延設されていることを特徴とする請求項１または２に記載の仕切部材付き紙箱。
【請求項４】
前記紙箱本体に前記仕切部材を装着した状態で、外から見える部分がすべて紙の表側であることを特徴とする請求項１〜３のいずれか１項に記載の仕切部材付き紙箱。
【請求項５】
前記紙箱本体を収納するための外筒または、紙箱本体に被さる蓋体を有することを特徴とする請求項１〜４のいずれか１項に記載の仕切部材付き紙箱。
【発明の詳細な説明】
【技術分野】
【０００１】
本発明は、仕切部材を備えた紙箱に関する。
【背景技術】
【０００２】
紙箱としては、さまざまな形状の紙箱が用いられている。大箱に小型の内容物を収納するために、仕切板を備えた紙箱も種々提案されている。特許文献１に記載された箱用中仕切台紙は、平面矩形状の箱の中に、物品を複数列に整然と収納するための箱用中仕切台紙である。
【０００３】
特許文献１に記載された箱用中仕切台紙は、紙箱とは別に台紙からなる仕切部材を箱内に配置し、仕切りとするものであるが、１枚の台紙に点対称状に切込みを入れて、仕切板を引き起こし、表裏逆向きの仕切板を係止部で引っ掛けて係止させることにより直立させるものである。
【先行技術文献】
【特許文献】
【０００４】
【特許文献１】実公昭６３−０３５９４８号公報
【発明の概要】
【発明が解決しようとする課題】
【０００５】
特許文献１に記載された箱用中仕切台紙は、台紙そのものを箱本体に係止するための機構がないため、箱を逆さにすると落下してしまうという問題がある。この問題を解決するために、箱本体に、落下防止の機能を持たせようとすると、組み立てが煩雑になり、製造上の負荷が大きくなるという問題がある。
【０００６】
また紙の表裏面が隣合せに並ぶ構造であるため、両面とも同じ状態の紙でないと外観上好ましくないという問題がある。またさらに構造上、どうしても台紙に、仕切板を形成するための孔が生じるため、収納物が存在しない状態においては、外観が見劣りするという問題がある。
【０００７】
本発明の解決しようとする課題は、上記の問題点を解消し、仕切部材の装着が簡単でありながら、箱本体から脱落し難く、しかも箱本体の構造によっては、外から見える面が紙の表面側のみとすることもできるため、外観上も優れた仕切部材付き紙箱を提案するものである。
【課題を解決するための手段】
【０００８】
上記の課題を解決するための手段として、請求項１に記載の発明は、紙箱本体と、仕切部材とを有する仕切部材付き紙箱であって、該仕切部材は、２枚以上の底板と、底板と底板の間に谷折罫線を介して連設された仕切板と、両端部の底板から罫線を介して互い違いに連設され、直角に立ち上がる２枚の側板とを有し、前記底板と仕切板とは谷折罫線を介して交互に連設されており、それぞれの仕切板は、山折罫線によって接続された２枚の板からなり、前記仕切部材は、底板と仕切板とが蛇腹状に連設されて、弾力性を保った状態で紙箱本体内に装着されていることを特徴とする仕切部材付き紙箱である。
【０００９】
本発明に係る仕切部材付き紙箱は、仕切部材が、底板と仕切板とが蛇腹状に連設されて、弾力性を保った状態で紙箱本体内に装着されているので、脱落しにくく、また装着も容易である。
【００１０】
また、請求項２に記載の発明は、前記２枚の側板が、それぞれ山折罫線を介して連設された２枚の板からなることを特徴とする請求項１に記載の仕切部材付き紙箱である。
【００１１】
また、請求項３に記載の発明は、前記底板のうち、少なくとも両端部の底板には、立ち上がった前記側板の下辺に係止して、底板の浮上りを防止する浮上り防止突起が延設されていることを特徴とする請求項１または２に記載の仕切部材付き紙箱である。
【００１２】
また、請求項４に記載の発明は、前記紙箱本体に前記仕切部材を装着した状態で、外から見える部分がすべて紙の表側であることを特徴とする請求項１〜３のいずれか１項に記載の仕切部材付き紙箱である。
【００１３】
また、請求項５に記載の発明は、前記紙箱本体を収納するための外筒または、紙箱本体に被さる蓋体を有することを特徴とする請求項１〜４のいずれか１項に記載の仕切部材付き紙箱である。
【発明の効果】
【００１４】
本発明に係る仕切部材付き紙箱は、紙箱本体に仕切部材を装着する際、仕切部材が、底板と仕切板とが蛇腹状に連設されて、弾力性を保った状態で紙箱本体内に装着されるので、装着が容易であり、装着後は、弾力性によって、紙箱本体内側に押しつけられるので、容易に脱落することがない。
【００１５】
また、仕切部材を紙箱本体に装着する際には、蛇腹状に折り畳まれた仕切部材を圧縮して紙箱本体の内部に挿入するだけで良いので、組立が容易である。
【００１６】
仕切部材の構造は、紙の裏側が見えない構造であるので、紙の裏面の外観が表面よりも劣る紙を用いた場合であっても、外観的に問題が生じない。
【００１７】
請求項２に記載の発明のように、２枚の側板が、それぞれ山折罫線を介して連設された２枚の板からなる場合においては、それぞれの側板も広がろうとする弾力性を発揮するので、さらに仕切部材が脱落し難くなる。
【００１８】
請求項３に記載の発明のように、底板のうち、少なくとも両端部の底板に、立ち上がった側板の下辺に係止して、底板の浮上りを防止する浮上り防止突起が延設されている場合には、側板によって底板の浮上りが防止されるため、仕切部材が紙箱本体内できちっとした形状を保つ効果がある。
【００１９】
請求項４に記載の発明のように、紙箱本体に仕切部材を装着した状態で、外から見える部分がすべて紙の表側であるようにした場合には、表面側のみが化粧面になっている安価な板紙を使用して、高級感のある紙箱を提供することができる。
【図面の簡単な説明】
【００２０】
【図１】図１は、本発明に係る仕切部材付き紙箱の一実施態様を示した斜視図である。
【図２】図２は、本発明に係る仕切部材付き紙箱に用いる外筒の例を示した斜視図である。
【図３】図３は、図１の仕切部材を取り出した状態を示した斜視図である。
【図４】図４は、図３の仕切部材を伸ばした状態を示した説明図である。
【図５】図５は、図３、４に示した仕切部材のブランクを示した平面模式図である。
【図６】図６は、本発明に係る仕切部材付き紙箱の紙箱本体のブランクの一例を示した平面模式図である。
【発明を実施するための形態】
【００２１】
以下図面を参照しながら、本発明に係る仕切部材付き紙箱について詳細に説明する。
図１は、本発明に係る仕切部材付き紙箱（１）の一実施態様を示した斜視図である。図３は、図１の仕切部材（１０）を取り出した状態を示した斜視図である。また図４は、図３の仕切部材を伸ばした状態を示した説明図である。図５は、図３、４に示した仕切部材のブランク（１０Ｂ）を示した平面模式図である。以下これらの図を参照しながら説明する。
【００２２】
図１に示したように、本発明に係る仕切部材付き紙箱（１）は、紙箱本体（２０）と、仕切部材（１０）とを有する。仕切部材（１０）は、主に底板（２）と仕切板（３）と側板（４）から成っている。さらに図２に示したような外筒（３０）や、特に図示しないが、紙箱本体（２０）に被さる蓋体などを有していても良い。
【００２３】
仕切部材（１０）は、２枚以上の底板（２）と、底板と底板の間に谷折罫線を介して連設された仕切板（３）と、両端部の底板から罫線を介して互い違いに連設され、直角に立ち上がる２枚の側板（４）とを有する。
【００２４】
図１に示した例では、仕切部材（１０）の底板は、図４に示したように、端部底板（１１、１４）と中間底板（１２、１３）の４枚の底板を有し、それぞれの底板の間に、仕切板が３枚、それぞれ谷折罫線を介して連設されている。
【００２５】
両端部の端部底板（１１、１４）からは、それぞれ谷折罫線（１１ｂ、１４ｂ）を介して、側板が連設されている。この例では、それぞれの側板は、山折罫線（１８ｃ）を介して連設された２枚の板すなわち（１８ａ、１８ｂ）と、山折罫線（１９ｃ）を介して連設された２枚の板すなわち（１９ａ、１９ｂ）からなる。
【００２６】
仕切部材（１０）は、図４に示したように、底板（１１、１２、１３、１４）と仕切板（１５ａ、１５ｂ）、（１６ａ、１６ｂ）、（１７ａ、１７ｂ）とが交互に、蛇腹状に連設されている。
【００２７】
仕切部材（１０）は、蛇腹構造に由来する弾力性を保った状態で紙箱本体内に装着されている。このため、仕切部材（１０）は、常に広がろうとする力を持っており、紙箱本体（２０）の内部に装着された状態で箱を逆さにしても、簡単には脱落しない。
【００２８】
また、仕切部材（１０）を紙箱本体（２０）に装着するときには、蛇腹を圧縮した状態で挿入すれば良いので、装着が簡単である。
【００２９】
図１、図３に示した仕切部材（１０）では、４枚の底板の長さの合計が側板の長さにほぼ等しくなっており、従って３枚の仕切板は、それぞれの仕切板を構成する２枚の板が密着した状態になっている。
【００３０】
４枚の底板の長さを少しずつ短くすると、仕切板の底辺は開いて三角形状になるが、仕切板をそのように構成しても良い。側板が両側に存在するため、仕切板が開いたことによ
って生じる空間は外からは見えない。
【００３１】
図３、４に示したように、この例では、２枚の側板が、それぞれ山折罫線（１８ｃ）、（１９ｃ）を介して連接された２枚の板、すなわち（１８ａ）、（１８ｂ）と、（１９ａ）、（１９ｂ）から成っている。このように構成した場合には、それぞれの側板が、広がろうとする弾力性を持っているので、紙箱本体に仕切部材を装着した時に、より確実に固定される。また紙の端面が露出しないので、外観的にも勝っている。
【００３２】
２枚の側板は、端部底板（１１）、（１４）からそれぞれ側板接続罫線（１１ｂ）、（１４ｂ）を介して、互い違いに連接されている。
【００３３】
この例では、４枚の底板（１１〜１４）のいずれにも浮上り防止突起（１１ａ、１２ａ、１３ａ、１４ａ）が延設されている。浮上り防止突起は、この上に乗る側板によって底板の浮上りを抑制する作用を有する。
【００３４】
図５は、図３、４に示した仕切部材のブランク（１０Ｂ）を示した平面模式図である。図５は、ブランクを紙の表面側から見た状態を示している。図中、点線は紙面から見て山折となる罫線を示している。また一点鎖線は、紙面から見て谷折となる罫線を示している。なおこの例では、谷折罫線はすべて切込の入ったリード罫線となっている。
【００３５】
図５について、さらに詳しく説明する。実線は外形線および切込線を示している。
底板は４枚あり、端部の底板（１１）、（１４）には、それぞれ側板が連接されている。端部底板（１１）、（１４）の間には中間底板（１２）、（１３）があり、４枚の底板の間には、仕切板谷折罫線（１１ｃ、１２ｂ、１２ｃ、１３ｂ、１３ｃ、１４ｃ）を介して、それぞれ仕切板山折罫線（１５ｃ、１６ｃ、１７ｃ）によって連接された２枚ずつの板からなる３枚の仕切板が底板と交互に配置されている。すなわち、仕切板１（１５ａ、１５ｂ）と仕切板２（１６ａ、１６ｂ）と仕切板３（１７ａ、１７ｂ）である。
【００３６】
端部底板（１１）、（１４）には、それぞれ側板１（１８ａ、１８ｂ）と側板２（１９ａ、１９ｂ）が、それぞれ側板接続罫線（１１ｂ、１４ｂ）を介して連接されている。
【００３７】
２枚の側板は、それぞれ、山折罫線（１８ｃ）、（１９ｃ）を介して連接された２枚の板（１８ａ、１８ｂ）、（１９ａ、１９ｂ）から成っている。
【００３８】
仕切部材（１０）の底板は、最低２枚は必要であり、２枚以上であれば上限は特にない。
【００３９】
この例では、４枚の底板（１１〜１４）すべてに浮上り防止突起（１１ａ、１２ａ、１３ａ、１４ａ）が延設されている。浮上り防止突起は、この上に立ち上がった側板が乗ることによって、側板の下辺に係止し、底板の浮上りを防止する。
【００４０】
浮上り防止突起は、底板の長さ寸法と仕切板の高さとの関係によっては、すべての底板に設けることができない場合もあるが、少なくとも端部底板には、設けることが望ましい。また側板の長さとの兼ね合いでは、浮上り防止突起を一つの底板の長さの全長に亘って設けることができない場合もあるが、その場合でも可能な限りの長さで設けることが望ましい。
【００４１】
浮上り防止突起は、もっと長く突出させて、付け根に谷折罫線を設け、側板の外側に立てるようにしても良い。
【００４２】
図６は、本発明に係る仕切部材付き紙箱（１）の紙箱本体のブランク（２０Ｂ）の一例を示した平面模式図である。この例では、１枚のブランクから紙箱本体（２０）が形成される。図６に示したブランク図は、紙の裏面側から見た状態を示しており、一点鎖線は、紙面から見て谷折罫線を、点線は、山折罫線をそれぞれ示している。実線は外形線または切込線である。
【００４３】
この例では、底板（２１）を中心として、下側に谷折罫線を介して前側板（２２ａ、２２ｂ）が連設されており、上側に谷折罫線を介して後側板（２３ａ、２３ｂ）が連設されている。また右側には、同様に右側板（２４ａ、２４ｂ）が、左側には左側板（２５ａ、２５ｂ）がそれぞれ連設されている。
【００４４】
各側板は、それぞれ２枚の板から構成され、紙の表面側が箱の外側になるように、内側に向かって巻込まれる。各側板の先端には底面フラップ（２２ｃ、２３ｃ、２４ｃ、２５ｃ）が設けられており、底板（２１）に密着する。
【００４５】
隣り合う側板の間に設けられたコーナーフラップ（２６ａ〜２６ｄ）は、中心線を山折し、側板の２重壁の間に挿入することによって、箱が組み立てられる。
【００４６】
前後の側板には、サイドフラップ（２２ｄ、２２ｅ、２３ｄ、２３ｅ）が設けられており、左右側板の２重壁の間に挿入することによって、箱が固定される。
【００４７】
紙箱本体（２０）の構造については、特に制約はなく、図６に示したようなブランク構造に限定されるものではないが、図６の例では、紙箱本体を外側から見た時に、紙の表面側のみが見えるようになるので、意匠的には好ましいものである。なお、底板（２１）だけは、上から見た時に紙の裏面が見えるが、仕切部材（１０）が装着されることによって、覆い隠される。
【００４８】
本発明に係る仕切部材付き紙箱（１）に使用する紙材料としては、一般的に紙箱用として用いられる板紙が使用できる。本発明に係る紙箱の特徴として、紙の片面のみが見えるように構成することが可能なので、表面のみが化粧面となる片面コートボール紙などの材料を有効に利用することができる。
【００４９】
本発明に係る仕切部材付き紙箱は、高級な菓子やチョコレートなどを整然と収納するための紙容器として有用である。
【符号の説明】
【００５０】
１・・・仕切部材付き紙箱
２・・・底板
３・・・仕切板
４・・・側板
１０・・・仕切部材
１０Ｂ・・・仕切部材ブランク
１１、１４・・・端部底板
１２、１３・・・中間底板
１１ａ、１２ａ、１３ａ、１４ａ・・・浮上り防止突起
１１ｂ、１４ｂ・・・側板接続罫線
１５ａ、１５ｂ・・・仕切板１
１６ａ、１６ｂ・・・仕切板２
１７ａ、１７ｂ・・・仕切板３
１１ｃ、１２ｂ、１２ｃ、１３ｂ、１３ｃ、１４ｃ・・・仕切板谷折罫線
１５ｃ、１６ｃ、１７ｃ・・・仕切板山折罫線
１８ａ、１８ｂ・・・側板１
１９ａ、１９ｂ・・・側板２
１８ｃ、１９ｃ・・・側板山折罫線
２０・・・紙箱本体
２０Ｂ・・・紙箱本体ブランク
２１・・・底板
２２ａ、２２ｂ・・・前側板
２３ａ、２３ｂ・・・後側板
２２ｄ、２２ｅ、２３ｄ、２３ｅ・・・サイドフラップ
２４ａ、２４ｂ・・・右側板
２５ａ、２５ｂ・・・左側板
２２ｃ、２３ｃ、２４ｃ、２５ｃ・・・底面フラップ
２６ａ〜２６ｄ・・・コーナーフラップ
３０・・・外筒
【図１】
2014094772.tif 000003
【図２】
2014094772.tif 000004
【図３】
2014094772.tif 000005
【図４】
2014094772.tif 000006
【図５】
2014094772.tif 000007
【図６】
2014094772.tif 000008